(57)【要約】【課題】避難所用間仕切の保管スペースを別途設ける必要がなく、かつ平常時においても使用することができるパネル装置を利用した避難所用間仕切を提供すること。【解決手段】支柱２ａ，２ｂ，２ｃは、平常時にパネル体３ａ，３ｂをその上部側で支持する平常時支持位置と、災害発生時にパネル体３ａ，３ｂをその下部側で支持する災害時支持位置と、の間でパネル体３ａ，３ｂの支持位置を変更できる支持位置変更手段を有するとともに、支柱２ａ，２ｂ，２ｃは、パネル体３ａ，３ｂの支持方向をその周方向における所定の方向に変更できる支持方向変更手段６，７，８を有し、災害発生時に、パネル体３ａ，３ｂを支持位置変更手段６，７，８により災害時支持位置に変更するとともに、パネル体３ａ，３ｂを支持方向変更手段６，７，８により平面視で略Ｌ字状をなすように連設する。【選択図】図２
2011032741.tif 000002
【特許請求の範囲】
【請求項１】
床面に立設される支柱と、該支柱に支持される複数のパネル体と、を備えるパネル装置を利用した避難所用間仕切であって、
前記支柱は、平常時に前記パネル体をその上部側で支持する平常時支持位置と、災害発生時に前記パネル体をその下部側で支持する災害時支持位置と、の間で前記パネル体の支持位置を変更できる支持位置変更手段を有するとともに、該支柱は、前記パネル体の支持方向をその周方向における所定の方向に変更できる支持方向変更手段を有し、前記災害発生時に、前記パネル体を前記支持位置変更手段により前記災害時支持位置に変更するとともに、前記パネル体を前記支持方向変更手段により平面視で略Ｌ字状をなすように連設することを特徴とする避難所用間仕切。
【請求項２】
前記パネル装置は、前記災害発生時に、前記パネル体を前記支持方向変更手段により平面視で略コ字状をなすように連設し、該連設されたパネル体の開口の両側部に立設される支柱には、前記パネル体が前記平常時支持位置にて支持されることを特徴とする請求項１に記載の避難所用間仕切。
【請求項３】
前記支柱における前記災害時支持位置のパネル体よりも上部側には、布状体が張設されることを特徴とする請求項１または２に記載の避難所用間仕切。
【発明の詳細な説明】
【技術分野】
【０００１】
本発明は、災害時に仮設の避難所等で用いられる避難所用間仕切に関する。
【背景技術】
【０００２】
従来、複数枚の段ボール製の間仕切板を上下方向を向く折目を介して左右一対に形成される矩形状の側板と、これら側板の左右端縁で上下方向を向く折目を介して形成される端板と、から構成した避難所用間仕切がある。この避難所用間仕切では、間仕切板を両側板間の折目で折り曲げることで、平面視で略L字状に形成した状態で間仕切板同士を端板で重ね合わせ、重なった連結部に連結材を挿通させることで、平面視で略コ字状の囲いを形成し、地震等の災害時に避難所として使用される学校の体育館等で被災者のプライバシーを保護するために使用できるようにしたものがある（例えば、特許文献１参照）。
【先行技術文献】
【特許文献】
【０００３】
【特許文献１】特開２００６−３２８８３４号公報（第３頁、第２図）
【発明の概要】
【発明が解決しようとする課題】
【０００４】
しかしながら、特許文献１に記載の避難所用間仕切にあっては、避難用間仕切は地震等の災害の発生時にのみにしか使用しないため、災害が発生していない平常時には、使用することが無く、かつ避難所用間仕切の保管スペースが別途必要になるため、長年、災害が発生しない地域などには、導入が進まないという問題がある。そこで、平常時に使用している物品を避難所用間仕切として利用して災害時に活用したいという要望がある。
【０００５】
本発明は、このような問題点に着目してなされたもので、避難所用間仕切の保管スペースを別途設ける必要がなく、かつ平常時においても使用することができるパネル装置を利用した避難所用間仕切を提供することを目的とする。
【課題を解決するための手段】
【０００６】
前記課題を解決するために、本発明の避難所用間仕切は、
床面に立設される支柱と、該支柱に支持される複数のパネル体と、を備えるパネル装置を利用した避難所用間仕切であって、
前記支柱は、平常時に前記パネル体をその上部側で支持する平常時支持位置と、災害発生時に前記パネル体をその下部側で支持する災害時支持位置と、の間で前記パネル体の支持位置を変更できる支持位置変更手段を有するとともに、該支柱は、前記パネル体の支持方向をその周方向における所定の方向に変更できる支持方向変更手段を有し、前記災害発生時に、前記パネル体を前記支持位置変更手段により前記災害時支持位置に変更するとともに、前記パネル体を前記支持方向変更手段により平面視で略Ｌ字状をなすように連設することを特徴としている。
この特徴によれば、地震等の災害が発生していない平常時には、パネル装置を掲示板等として使用可能であるとともに、災害の発生時には、支持位置変更手段によりパネル体の支持位置を変更して、学校の体育館等の仮設の避難所で被災者のプライバシーを保護するための避難所用間仕切として利用することができ、避難所用間仕切の保管スペースを別途設ける必要がなくなるばかりか、災害発生時に、避難所用間仕切を遠方から搬送する手間も必要なくなり、災害発生直後に、短時間で避難所用間仕切を避難所に設置することができる。尚、パネル体が災害時支持位置にあるときには、支柱の上部側がパネル体よりも上方に突設されるようになり、この支柱同士にロープ等の紐状体を掛け渡すことで、この紐状体にハンガー等の物品を吊り下げ、被災者が生活し易いようにすることができる。
【０００７】
本発明の避難所用間仕切は、
前記パネル装置は、前記災害発生時に、前記パネル体を前記支持方向変更手段により平面視で略コ字状をなすように連設し、該連設されたパネル体の開口の両側部に立設される支柱には、前記パネル体が前記平常時支持位置にて支持されることを特徴としている。
この特徴によれば、仮設の避難所で避難所用間仕切が設置される際に、通路に面するようになっている避難所用間仕切の開口側に、平常時支持位置にて支持されるパネル体が配置され、このパネル体により、避難所用間仕切内の様子を、通路を通行する通行人の視線から遮り、被災者のプライバシーを保護することができる。
【０００８】
本発明の避難所用間仕切は、
前記支柱における前記災害時支持位置のパネル体よりも上部側には、布状体が張設されることを特徴としている。
この特徴によれば、布状体により避難所用間仕切内の様子を、外方から遮蔽することができ、被災者のプライバシーを保護することができる。
【図面の簡単な説明】
【０００９】
【図１】実施例１における避難所に設けられた避難所用間仕切を示す概略図である。
【図２】避難所用間仕切を示す斜視図である。
【図３】パネル装置の正面図である。
【図４】図３におけるパネル装置を示すＡ−Ａ断面図である。
【図５】（ａ）は、上部連結具の正面図であり、（ｂ）は、上部連結具の側面図である。
【図６】（ａ）は、中間連結具の正面図であり、（ｂ）は、中間連結具の側面図である。
【図７】（ａ）は、下部連結具の正面図であり、（ｂ）は、下部連結具の側面図である。
【図８】図４におけるパネル装置のＢ−Ｂ断面図である。
【図９】災害時支持位置におけるパネル体の支柱への取り付けを示す概略図である。
【図１０】パネル装置の連設を示す概略図である。
【図１１】実施例２における避難用間仕切を示す斜視図である。
【図１２】パネル装置を連設した状態を示す概略図である。
【図１３】変形例におけるパネル装置を連接した状態を示す概略図である。
【発明を実施するための形態】
【００１０】
本発明に係る避避難所用間仕切を実施するための形態を実施例に基づいて以下に説明する。
【実施例１】
【００１１】
実施例１に係る避難所用間仕切につき、図１から図１０を参照して説明する。以下、図３、図８、図９、の紙面手前側をパネル装置の正面側（前方側）とし、図４における紙面下側をパネル装置の正面側（前方側）とし、図３、図４、図８、図９における紙面左側をパネル装置の左側とし、図１及び図１０における紙面下側を避難所用間仕切の正面側（前方側）とし、図１及び図１０における紙面左側を避難所用間仕切の左側として説明する。
【００１２】
図１の符号１は、本発明の避難所用間仕切である。この避難所用間仕切１は、地震等の災害発生時に、学校の体育館等の仮設の避難所において被災者に対して避難所用ブース７０を提供するために用いられる。
【００１３】
図１及び図２に示すように、避難所用間仕切１には、左右方向に被災者が居住するための避難所用ブース７０が複数形成されている。これら各避難所用ブース７０間は、パネル体３ａ，３ｂによって平面視櫛歯状に仕切られている。また、各避難所用ブース７０の正面側には、開口７１が形成されており、被災者は、この開口７１から避難所用ブース７０の内外を出入可能となっている。更に、避難所用間仕切１は、避難所内で前後方向に複数連設されている。これら前後の避難所用間仕切１間には、被災者が通行可能な通路Ｒが形成されている。
【００１４】
図３に示すように、これら避難所用間仕切１は、例えば、主に学校内で掲示板として使用されるパネル装置７２を組み合わせて構成されている。このパネル装置７２は、床面Ｆ上に立設された３本の支柱２ａ，２ｂ，２ｃと、これら支柱２ａ，２ｂとの間で支持されるパネル体３ａと、支柱２ｂ，２ｃとの間で支持されるパネル体３ｂと、から主に構成されている。
【００１５】
これら３本の支柱２ａ，２ｂ，２ｃのうちパネル装置７２の左右側端部に配置される支柱２ａ，２ｃは、床面Ｆ上に載置される平面視で略円盤状のベース脚４上に立設されているとともに、パネル装置７２の中間に配置される支柱２ｂは、床面Ｆ上に下端が接地されるアジャスタ５を介して床面Ｆ上に立設されている。
【００１６】
また、支柱２ａ，２ｂ間に支持されるパネル体３ａと支柱２ｂ，２ｃ間に支持されるパネル体３ｂとは、図３におけるパネル体３ａに示すように、地震等の災害が発生していない平常時に掲示板として使用するために、支柱２ａ，２ｂの上部側で支持される平常時支持位置と、図３におけるパネル体３ｂに示すように、地震等の災害発生時に支柱２ｂ，２ｃの下部側で支持される災害時支持位置と、の間で、パネル体３ａ，２ｂの支持位置を変更可能となっている。
【００１７】
尚、本実施例における災害時支持位置では、パネル体２ｂと床面Ｆとの間に僅かな間隙Ｌが形成されている。更に尚、パネル装置７２のパネル体３ａは、その長手が水平方向を向いて支柱２ａ，２ｂの上部側で支持される。
【００１８】
支柱２ａ，２ｂ，２ｃ間に支持されるパネル体３ａ，３ｂは、各支柱２ａ，２ｂ，２ｃとパネル体３ａ，３ｂとの対向面間に設けられる金属製の上部連結具６，中間連結具７，下部連結具８によりそれぞれ連結されている。
【００１９】
尚、各支柱２ａ，２ｂ，２ｃとパネル体３ａ，３ｂとの連結構造は全て同一であるため、以下においては、支柱２ａとパネル体３ａとの連結構造のみを説明し、支柱２ｂとパネル体３ａ、支柱２ｂとパネル体３ｂ、支柱２ｃとパネル体３ｂとの連結構造の詳細な説明は省略する。
【００２０】
図４及び図８に示されるように、支柱２ａは、アルミニウム等の金属材を押し出し成型することにより四角柱状に形成されており、その各側面（正面、左側面、右側面、背面）には、外方に開口する所定深さを有する直線状の凹溝１０が、支柱２ａの上端から下端にかけて連続的に形成されている。各凹溝１０における開口の両外側縁には、互いに内向きに延設される被係止部としての２つの係止縁１１が、凹溝１０の長手方向にわたり形成されている。つまりこの凹溝１０は、横断面略コ字形に形成される溝に両係止縁１１が形成された、所謂アリ溝構造とされている。
【００２１】
各凹溝１０含む支柱２ａ，２ｂ，２ｃの上端及び下端はそれぞれ開口しており、凹溝１０の上端開口１０ａ及び下端開口１０ｂを含む上下端開口は、支柱２ａの上下端部に着脱自在に装着される両エンドキャップ１６により閉塞されている。
【００２２】
また、凹溝１０の底壁１２の上部と下部とには、後述する上部連結具６，中間連結具７，下部連結具８を取り付けるためのネジ孔１３ａ，１３ｂ，１３ｃ（図８及び図９参照）が、それぞれ上下方向の所定高さ位置にそれぞれ形成されている。
【００２３】
更に、これら各底壁１２により囲まれた中央空間内には、横断面Ｃ字形の貫通路１４が上下方向にわたり延設されており、その貫通路１４の下端には、ベース脚に対して支柱２ａを連結固定するためのロングボルト１５が螺合されている。
【００２４】
パネル体３ａは、図２、図４、図６に示されるように、正面視縦長長方形状に形成された前後に配置されるパネル１７０，１７０と、パネル１７０，１７０の左右側端部に沿って設けられる金属製の縦フレーム１７，１７と、パネル１７０，１７０の上下端部に沿ってそれぞれ設けられる金属製の横フレーム１８，１９と、から主に構成される。
【００２５】
左右の縦フレーム１７，１７は、図２及び図６に示されるように、アルミニウム等の金属材を押し出し成型することにより四角柱状に形成されており、その外側面（左側面）には、外方に開口する所定深さを有する直線状の凹溝２０が、縦フレーム１７の上端から下端にかけて連続的に形成されている。各凹溝２０における開口の両外側縁には、互いに内向きに延設される２つの係止縁２１が、凹溝２０の長手方向にわたり形成されている。つまりこの凹溝２０は、横断面略コ字形に形成される溝に両係止縁２１が形成された、所謂アリ溝構造とされている。
【００２６】
縦フレーム１７の底壁２２の内側には、横断面Ｃ字形の貫通路２４が上下方向にわたり延設されており、その貫通路２４の下端には、後述する下部連結具８の係止片６３が嵌挿されるようになっている。
【００２７】
凹溝２０及び貫通路２４を含む縦フレーム１７の上端及び下端はそれぞれ開口しており、凹溝２０及び貫通路２４の上端開口は、縦フレーム１７の上方に配置される横フレーム１８及びこの横フレーム１８の側端開口を閉塞可能に装着されるエンドキャップ２５により閉塞されている。また、凹溝２０及び貫通路２４の下端開口は、横フレーム１９の側端開口を閉塞可能にこの横フレーム１９に装着されるエンドキャップ２６により閉塞されている。尚、このエンドキャップ２６における貫通路２４に対応する箇所には、円形の係止穴２７が形成されており、この係止穴２７を介して貫通路２４の内部が外部と連通されている。
【００２８】
図８に示すように、縦フレーム１７における凹溝２０内の上部には、上部連結具６としての係止金具３０が配置されている。図５（ａ）及び図５（ｂ）に示すように、この係止金具３０は、帯板状の金属板を屈曲することにより形成されている。具体的には、上下方向を向くとともに、パネル体３ａの底壁２２に取り付けられる取付片３１と、取付片３１の上端から外方に向けて延設される水平片３２と、水平片３２の先端から上方に向けて延設される上部係止片としての係止片３３と、取付片３１の下端から外側斜め下方に向けて延設される傾斜片３４と、から構成されている。
【００２９】
これら水平片３２、取付片３１、傾斜片３４及び係止片３３の基部の幅寸法Ｌ１は、凹溝１０，２０の開口の幅寸法Ｌ３（図２参照）よりも幅狭で（Ｌ１＜Ｌ３）、係止片３３の幅寸法Ｌ２は、開口の幅寸法Ｌ３（図２参照）よりも幅広で、かつ、凹溝１０，２０の幅寸法Ｌ４よりも若干幅狭である（Ｌ１＜Ｌ３＜Ｌ２＜Ｌ４）。また、取付片３１には、底壁２２に取り付けるための取付ボルト３６（図６参照）の取付穴３５が形成されている。
【００３０】
図８に示すように、このように構成された係止金具３０は、凹溝２０の底壁２２の上部に形成されたネジ孔３８ａに取付ボルト３６を螺入することで、凹溝２０内に取付片３１が収容された状態で取り付けられる。尚、係止金具３０が底壁２２の上部に取り付けられた状態では、係止片３３及び傾斜片３４の下半部が凹溝２０の係止縁２１，２１間に形成される開口から外方に突出される。
【００３１】
一方、図８に示すように、支柱２ａにおける凹溝１０内の上部には、上部連結具６としての係止金具４０が配置されている。この係止金具４０は、図６（ａ）及び図６（ｂ）に示すように、帯板状の金属板を屈曲することにより正面視くの字形に形成されている。具体的には、上下方向を向くとともに、支柱２ａの底壁１２に取り付けられる取付片４１と、取付片４１の下端から外側斜め下方に向けて延設される傾斜片４２と、から構成されている。
【００３２】
これら取付片４１及び傾斜片４２の幅寸法Ｌ１は、全て凹溝１０，２０の開口の幅Ｌ３（図４参照）よりも幅狭である（Ｌ１＜Ｌ３）。また、取付片４１には、底壁１２に取り付けるための取付ボルト４４の取付穴４３が形成されている。尚、取付片４１に対する傾斜片４２の傾斜角度θは、係止金具３０の取付片３１に対する傾斜片３４の傾斜角度θとほぼ同一とされている。
【００３３】
図８に示されるように、このように構成された係止金具４０は、凹溝１０の底壁１２の上部に形成されたネジ孔１３ａに取付ボルト４４を螺入することで、凹溝１０内に取付片４１が収容された状態で取り付けられる。尚、係止金具４０が底壁１２の上部に取り付けられた状態では、傾斜片４２の上半部が凹溝１０の係止縁１１，１１間に形成される開口から外方に突出される。
【００３４】
また、パネル体３ａが支柱２ａに支持された状態において、その傾斜片４２の上向き傾斜面４２ｂ上に係止金具３０の傾斜片３４の下向き傾斜面３４ａが当接されるように、係止金具３０よりもやや下方位置に取り付けられる。
【００３５】
このように構成される係止金具４０は、後述するように中間連結具７を構成する係止金具５０，５１としても使用されるが、形状は係止金具４０と同一であるため、詳細な説明は省略する。
【００３６】
尚、図８に示すように、係止金具５０は、凹溝２０の底壁２２の上下方向の中間部に形成されたネジ孔３８ｂに取付ボルト５２を螺入し、かつ、傾斜片４２を下方に向けた状態で取り付けることで、凹溝２０内に取付片３１が収容された状態で取り付けられる。尚、係止金具５０が底壁２２の中間部に取り付けられた状態では、傾斜片４２の下半部が凹溝２０の係止縁２１，２１間に形成される開口から外方に突出される。
【００３７】
他方の係止金具５１は、凹溝１０の底壁１２の上下方向の中間部に形成されたネジ孔１３ｂに取付ボルト５３を螺入し、かつ、傾斜片４２を上方に向けた状態で取り付けることで、凹溝１０内に取付片３１が収容された状態で取り付けられる。尚、係止金具５１が底壁１２の中間部に取り付けられた状態では、傾斜片４２の上半部が凹溝１０の両係止縁１１間に形成される開口から外方に突出される。
【００３８】
また、パネル体３ａが支柱２ａに支持された状態において、係止金具５１の傾斜片４２の上向き傾斜面４２ｂ上に、係止金具５０の傾斜片３４の下向き傾斜面４２ａが当接されるように、係止金具５０よりもやや下方位置に取り付けられる。
【００３９】
図５には、下部連結具８を構成する係止金具６０が示されている。係止金具６０は、帯板状の金属板を屈曲することにより正面視で略Ｊ字形に形成されている。具体的には、上下方向を向くとともに、支柱２ａの底壁１２に取り付けられる取付片６１と、取付片６１の下端から外側に向けて水平に延設され、パネル体３ａの下端面となるエンドキャップ２６の下面２６ａを下方から受支する受支片６２と、この受支片６２の先端から上方に延設された下部係止片としての係止片６３と、から構成されている。
【００４０】
これら取付片６１、受支片６２、係止片６３の幅寸法Ｌ１は、全て凹溝１０，２０の開口幅Ｌ３と、エンドキャップ２６に形成された係止穴２７及び貫通路２４の直径（図４参照）よりも幅狭である（Ｌ１＜Ｌ３）。また、取付片６１には、底壁１２に取り付けるための取付ボルト６５ａ，６５ｂ（図８参照）の取付穴６４ａ，６４ｂが上下に形成されている。尚、受支片６２に対する係止片６３の屈曲角度（内角）は約９０度以上とされ、先端に向けて僅かに外向きに傾斜している。
【００４１】
図８に示すように、このように構成された係止金具６０は、凹溝１０の底壁１２の下部に形成された２つのネジ孔１３ｃに取付ボルト６５ａ，６５ｂを螺入することで、凹溝１０内に取付片６１が収容された状態で取り付けられる。尚、係止金具６０が底壁１２の下部に取り付けられた状態では、受支片６２及び係止片６３が凹溝１０の両係止縁１１間に形成される開口から外方に突出される。
【００４２】
パネル３ａを支柱２ａによって平常時支持位置で支持するには、各係止金具４０，５１，６０を凹溝１０内の上部にそれぞれ取付ボルト４４，５３，６５ａ，６５ｂによって取り付けるとともに、各係止金具３０，５０を凹溝２０内にそれぞれ取付ボルト３６，５２によって取り付ける。そして、支柱２ａの上端開口に装着されたエンドキャップ１６を取り外して凹溝１０の上端開口１０ａを開放する。
【００４３】
次に、支柱２ａの右側面とパネル体３ａの左側端面、つまり両係止縁１１の外面１１ａと両係止縁２１の外面２１ａとを付き合わせる。この状態で、支柱２ａ側に取り付けられた係止金具４０，５１の傾斜片４２の先端部がパネル体３ａの凹溝２０内に入り込むとともに、パネル体３ａ側に取り付けられた係止金具３０，５０の傾斜片３４，４２が支柱２ａの凹溝１０内に入り込む。
【００４４】
このように両係止縁１１の外面１１ａと両係止縁２１の外面２１ａとを付き合わせた状態で、支柱２ａに対してパネル体３ａを下方に向けてスライドさせることで、係止金具３０の係止片３３が上端開口１０ａから凹溝１０内に入り込むとともに、係止金具６０の係止片６３が係止穴２７内に嵌挿される。
【００４５】
そして、パネル体３ａのエンドキャップ２６の下面、つまりパネル体３ａの下端面が係止金具６０の受支片６２の上面に当接することにより下方への移動が規制されることで、上部連結具６を構成する傾斜片３４，４２及び中間連結具７を構成する傾斜片４２，４２が当接し、上部連結具６，中間連結具７，下部連結具８により、パネル体３ａの上部位置、中央位置、下部位置がそれぞれ支柱２ａの上部で連結されて、パネル体３ａが平常時支持位置に保持される。
【００４６】
尚、パネル３ａを支柱２ａによって災害時支持位置で支持するには、図９に示すように、各係止金具４０，５１，６０を凹溝１０内の下部にそれぞれ取付ボルト４４，５３，６５ａ，６５ｂによって取り付け、支柱２ａの右側面とパネル体３ａの左側端面とを付き合わせた状態で支柱２ａに対してパネル体３ａを下方に向けてスライドさせ、係止金具６０の係止片６３を係止穴２７内に嵌挿させる。
【００４７】
また、図４に示すように、凹溝１０内に取り付けられる係止金具４０，５１，６０（係止金具４０，５１は図示せず）は、異なる凹溝１０内に取付ボルト４４，５３，６５ａ，６５ｂによって取り付けられることで、パネル体３ａの支持方向を支柱２ａの周方向における平面視で９０度毎に変更することができるようになっている。つまり、これら上部連結具６，中間連結具７，下部連結具８は、本発明における支持位置変更手段及び支持方向変更手段を構成している。
【００４８】
次に、前述したように構成されたパネル装置７２を用いた避難所用間仕切１の組立について説明する。先ず、図３及び図１０に示すように、地震等の災害が発生したら、体育館等の避難所となる建築物内にパネル装置７２を運び込み、パネル装置７２におけるパネル体３ａの支柱２ａ，２ｂによる支持位置を正面側に平面視で９０度変更することによって、パネル体３ａとパネル体３ｂとで、パネル装置７２を平面視で略Ｌ字状に形成する。
【００４９】
具体的には、パネル体３ａを平常時支持位置で支持している支柱２ａ，２ｂから一旦パネル体３ａを取り外し、支柱２ａの凹溝１０内の上部に取り付けられている係止具４０，５１，６０を凹溝１０内の下部に取り付ける。支柱２ｂは、左側の凹溝１０内上部に取り付けられている係止金具４０，５１，６０を取り外し、正面側の凹溝１０内の下部に係止金具４０，５１，６０を取り付ける。
【００５０】
更に、支柱２ａ，２ｂを前後方向で対向するように配置させ、これら支柱２ａ，２ｂ間にパネル体３ａに取り付けられている係止金具３０，５０を挿通させることで、パネル体３ａを支柱２ａ，２ｂに取り付ける。このとき、パネル体３ａは、支柱２ａ，２ｂ間の災害時支持位置で支持される。
【００５１】
図１０に示すように、パネル装置７２が平面視でＬ字状に形成された状態から、支柱２ｃに正面側と右側からパネル体２ａ，２ｂを連設させる。具体的には、支柱２ｃの正面側と右側の凹溝１０の下部に係止金具４０，５１，６０を取り付け、支柱２ｃの正面側には、平面視で長手方向が前後方向を向くパネル体３ａが取り付けられる。尚、このパネル体３ａの前端部には、支柱２ｂと同一のアジャスタ５を介して床面Ｆ上に立設されている支柱２ｄが取り付けられており、パネル体３ａは、これら支柱２ｃ，２ｄの間で災害時支持位置に支持される。パネル体３ａ，３ｂ，３ａで囲まれた空間は、正面側に開口７１を有する、平面視で略コ字状に形成された避難者の避難所用ブース７０に形成される。
【００５２】
支柱２ｃの右側には、平面視で長手方向が左右方向を向くパネル体３ｂが取り付けられる。このパネル体３ｂの右端部には、支柱２ｂと同一のアジャスタ５を介して床面Ｆ上に立設されている支柱２ｅが取り付けられており、パネル体３ｂは、これら支柱２ｃ，２ｅの間で災害時支持位置に支持される。
【００５３】
支柱２ｅの正面側と右側には、パネル体３ａ，３ｂが連設され、パネル体３ａ，３ｂ，３ａで囲まれた避難所用ブース７０が形成される。尚、パネル体３ａの前端部とパネル体３ｂの右端部には、支柱２ａ，２ｃと同一のベース脚４上に立設されている支柱が取り付けられている。以下、支柱の右側に取り付けられるパネル体の右端部に取り付けられる支柱の正面側と右側とに、更にパネル体が連設されて図２に示す避難所用間仕切１が構成される。尚、避難所用間仕切１の右端部に配置される支柱には、正面側からのみパネル体が取り付けられる。
【００５４】
また、図２に示すように、前述のように構成された避難所用間仕切１の各避難所用ブース７０では、災害時支持位置で支柱２ａ，２ｂ，２ｃ，２ｄで支持されている各パネル体３ａ，３ｂ，３ａと床面Ｆとの間に間隙Ｌ（図３参照）が形成されているために空気の流れが形成され易く、避難所用間仕切１で囲まれた空間の風通しを良くすることができる。
【００５５】
開口７１の上部には、支柱２ａ，２ｄによってパネル体３ｃが平常時支持位置で支持されている。この平常時支持位置に支持されるパネル体の高さ位置は、図３に示すように、通路Ｒを通過する通行人である他の被災者の視線の高さ位置であり、パネル体３ｃによって通路Ｒを通過する通行人の視線を遮蔽することができる。
【００５６】
更に、避難所用ブース７０の上方は、支柱２ａ，２ｂ，２ｃ，２ｄの上端部に張設された布状体７３により覆うことが可能となっている。このため、避難所用ブース７０は、支柱２ａ，２ｂ，２ｃ，２ｄによって災害時支持位置に支持された３枚のパネル体３ａ，３ｂ、３ａと、これらパネル体３ａ，３ｂ，３ａの上方に張設された布状体７３によって外方から内部が遮蔽されている。
【００５７】
尚、支柱２ａ，２ｂ，２ｃ，２ｄ間には、布状体７３の他、ロープ等の紐状体７４を掛け渡すことによって、ハンガー等の物品を吊り下げ、被災者の避難所での生活のし易さを向上させることも可能である。
【００５８】
以上、本実施例における避難所用間仕切１にあっては、支柱２ａ，２ｂ，２ｃは、平常時にパネル体３ａ，３ｂをその上部側で支持する平常時支持位置と、災害発生時にパネル体３ａ，３ｂをその下部側で支持する災害時支持位置と、の間でパネル体３ａ，３ｂの支持位置を変更できる上部連結具６，中間連結具７，下部連結具８を有するとともに、支柱２ａ，２ｂ，２ｃは、パネル体３ａ，３ｂの支持方向をその周方向における所定の方向に変更できる上部連結具６，中間連結具７，下部連結具８を有し、災害発生時に、パネル体３ａ，３ｂを上部連結具６，中間連結具７，下部連結具８により災害時支持位置に変更するとともに、パネル体３ａ，３ｂを上部連結具６，中間連結具７，下部連結具８により平面視で略Ｌ字状をなすように連設することによって、地震等の災害が発生していない平常時には、パネル装置７２を掲示板等として使用可能であるとともに、災害の発生時には、上部連結具６，中間連結具７，下部連結具８によりパネル体３ａ，３ｂの支持位置を変更して、学校の体育館等の仮設の避難所で被災者のプライバシーを保護するための避難所用間仕切１として利用することができ、避難所用間仕切１の保管スペースを別途設ける必要がなくなるばかりか、災害発生時に、避難所用間仕切１を遠方から搬送する手間も必要なくなり、災害発生直後に、短時間で避難所用間仕切１を避難所に設置することができる。尚、パネル体３ａ，３ｂが災害時支持位置にあるときには、支柱２ａ，２ｂ，２ｃの上部側がパネル体３ａ，３ｂよりも上方に突設されるようになり、この支柱２ａ，２ｂ，２ｃ同士にロープ等の紐状体７４を掛け渡すことで、この紐状体７４にハンガー等の物品を吊り下げ、被災者が生活し易いようにすることができる。
【００５９】
また、パネル装置７２は、災害発生時に、パネル体３ａ，３ｂ，３ａを上部連結具６，中間連結具７，下部連結具８により平面視で略コ字状をなすように連設し、連設されたパネル体３ａ，３ａの開口７１の両側部に立設される支柱２ａ，２ｄには、パネル体３ｃが平常時支持位置にて支持されるので、仮設の避難所で避難所用間仕切１が設置される際に、通路Ｒに面するようになっている避難所用間仕切１の開口７１側に、平常時支持位置にて支持されるパネル体３ｃが配置され、このパネル体３ｃにより、避難所用間仕切１内の様子を、通路Ｒを通行する通行人（被災者）の視線から遮り、被災者のプライバシーを保護することができる。
【００６０】
また、支柱２ａ，２ｂ，２ｃ，２ｄにおける災害時支持位置のパネル体３ａ，３ｂ，３ａよりも上部側には、布状体７３が張設されるので、布状体７３により避難所用間仕切１内の様子を、外方から遮蔽することができ、被災者のプライバシーを保護することができる。
【実施例２】
【００６１】
次に、実施例２に係る避難所用間仕切につき、図１１から図１３を参照して説明する。尚、前記実施例と同一構成で重複する構成を省略する。以下、図１２及び図１３の紙面下側を避難所用間仕切の正面側（前方側）として説明する。
【００６２】
図１１及び図１２に示すように、実施例２における避難所用間仕切１を構成するパネル装置７２は、床面Ｆ上に立設された３本の支柱２ａ’，２ｂ’，２ｃ’と、これら支柱２ａ’，２ｂ’との間で支持されるパネル体３ａと、支柱２ｂ’，２ｃ’との間で支持されるパネル体３ｂと、から主に構成されている。
【００６３】
パネル体３ａは、平面視で長手を前後方向に向けて、支柱２ａ’，２ｂ’によって災害時支持位置で支持されており、パネル体３ｂは、平面視で長手を左右方向に向けて支柱２ｂ’，２ｃ’によって災害時支持位置で支持されている。このため、パネル装置７２は、平面視で略Ｌ字状に形成されている。
【００６４】
避難所用ブース７０を形成する際には、パネル装置７２（実施例１の図３参照）において、先ず、支柱２ｃ’をパネル体３ｂから取り外す。そして、支柱２ｃ’が取り外されたパネル体３ｂを、異なるパネル装置７２の支柱２ｂ’の左側に取り付け、パネル体３ｂを支柱２ｂ’，２ｂ’によって支持させる。このとき、パネル体３ｂを異なるパネル装置７２の支柱２ｂ’に取り付けることによって、パネル体３ａ，３ｂと、異なるパネル装置７２のパネル体３ａによって平面視で略コ字状をなす避難所用ブース７０が形成される。
【００６５】
そして、支柱２ｃが取り外されたパネル体３ｂを他のパネル装置７２（実施例１の図３参照）の支柱２ｂの左側に取り付けていくことで、左右方向に正面側に開口７１を有する避難所用ブース７０が形成される。尚、最後にパネル体３ｂが取り付けられるパネル装置７２のみは、右端部の支柱２ｃ’の正面側に長手が前後方向を向くパネル体３ａを取り付ける。このように複数のパネル装置７２を用いた避難所用間仕切１が構成される。このため、各避難所用ブース７０の開口７１は、全てアジャスタ５（図３参照）によって床面Ｆに設置されるようになり、避難所用ブース７０の開口７１には、ベース脚４が配置されないようになり、被災者が避難所用ブース７０に入出する際にベース脚４が邪魔にならずに済むようになる。
【００６６】
次に、実施例２における変形例の避難用間仕切１’について説明すると、図１３に示すように、避難用間仕切１’は、前述したパネル装置７２の他に、平面視で略Ｔ字状に形成されたパネル装置７５と、パネル装置７２と左右対称となる平面視で略Ｌ字状に形成されたパネル装置７６と、によって構成されている。
【００６７】
具体的には、パネル装置７５は、支柱２ｂ’の右側と左側とにパネル体３ｂが取り付けられており、両パネル体３ｂは、支柱２ｂ’，２ｃ’によって災害時支持位置で支持されている。また、支柱２ｂ’の正面側にはパネル体３ａが取り付けられており、このパネル体３ａは、支柱２ａ’，２ｂ’間で災害時支持位置で支持されている。つまり、パネル装置７５は、平面視で略Ｔ字状に形成されている。パネル装置７６は、パネル装置７２の支柱２ｂ’の右側に取り付けられたパネル体３ｂを、支柱２ｂ’の左側に付け替えた平面視で略Ｌ字状に形成されている。
【００６８】
これらパネル装置７２，７５，７６を連設するには、パネル装置７２，７６のパネル体３ｂから支柱２ｃ’を取り外し、パネル装置７２のパネル体３ｂをパネル装置７５の左側の支柱３ａの左側に取り付けるとともに、パネル装置７６のパネル体３ｂをパネル装置７５の右側の支柱３ａの右側に取り付ける。このように避難所用間仕切１を構成することによって、避難所用ブース７０を、各２枚のパネル体３ａ，３ｂによって実施例１及び実施例２に示すよりも広く形成することができる。
【００６９】
以上、本発明の実施例を図面により説明してきたが、具体的な構成はこれら実施例に限られるものではなく、本発明の要旨を逸脱しない範囲における変更や追加があっても本発明に含まれる。
【００７０】
例えば、前記実施例１では、避難所用ブース７０の上方を支柱２ａ，２ｂ，２ｃ，２ｄの上端部に張設された布状体７３により覆い、避難所用ブース７０内におけるプライバシーを保護するようにしたが、支柱２ａ，２ｂ間に布状体７３を垂直方向に張設することでパネル体３ａの上方を布状体７３で覆うようにし、避難所用ブース７０内のプライバシーを保護するようにしてもよい。
【００７１】
また、前記実施例１及び２では、パネル装置７２のパネル体３ａは、平常時において、その長手が水平方向を向いて支柱２ａ，２ｂの上部側で支持されるとともに、災害発生時においても、その長手が水平方向を向いて支柱２ａ，２ｂの下部側で支持されるようになっているが、パネル装置７２のパネル体３ａの支持態様はこれに限ることなく、例えば、パネル装置７２のパネル体３ａを、平常時において、その長手が垂直方向を向くように支柱２ａ，２ｂで支持し、災害発生時において、その長手が水平方向を向くように切り換えて支柱２ａ，２ｂで支持するようにしてもよい。
【符号の説明】
【００７２】
１，１’          避難所用間仕切
２ａ，２ｂ，２ｃ  支柱
２ａ’，２ｂ’    支柱
２ｃ’            支柱
３ａ，３ｂ，３ｃ  パネル体
６                上部連結具（支持位置変更手段，支持方向変更手段）
７                中間連結具（支持位置変更手段，支持方向変更手段）
８                下部連結具（支持位置変更手段，支持方向変更手段）
３０，４０，５０  係止金具
５１，６０        係止金具
７０              避難所用ブース
７１              開口
７２              パネル装置
７３              布状体
７４              紐状体
７５，７６        パネル装置
Ｒ                通路
【図１】
2011032741.tif 000003
【図２】
2011032741.tif 000004
【図３】
2011032741.tif 000005
【図４】
2011032741.tif 000006
【図５】
2011032741.tif 000007
【図６】
2011032741.tif 000008
【図７】
2011032741.tif 000009
【図８】
2011032741.tif 000010
【図９】
2011032741.tif 000011
【図１０】
2011032741.tif 000012
【図１１】
2011032741.tif 000013
【図１２】
2011032741.tif 000014
【図１３】
2011032741.tif 000015